(57)【要約】【課題】連続した大量のデジタルビデオデータを編集して再生するにあたりシステムの負荷を軽減し編集作業の効率化を図る上で有利なビデオ記録再生方法および装置を提供する。【解決手段】インデックスファイル４４から選択されたインデックスデータ４０を、最小単位のデジタルビデオデータを再生すべき順番に従って記録領域にアドレスの順番に並べて記録することで１次編集インデックスファイル４６を作成した。１次編集インデックスファイル４６からアドレスの順番で読み出したインデックスデータ４０に基づいて最小単位区切りデータを得るとともに、該最小単位区切りデータに基づいてデジタルビデオデータ領域からデジタルビデオデータの最小単位であるフレームを読み出して再生することにより、編集済みのデジタルビデオデータを再生したのと同様の効果を得る。【選択図】図４
2009027304.tif 000002
【特許請求の範囲】
【請求項１】
デジタルビデオデータを記録媒体の記録領域にファイルシステムを介して記録および／または再生するビデオ記録再生装置であって、
連続するひとまとまりのデジタルビデオデータを１つのファイルとして扱うとともに、連続するひとまとまりのデジタルビデオデータが前記ファイルの最大記録容量を超過する場合に、前記ひとまとまりのデジタルビデオデータを前記最大記録容量以下の大きさに分割し、分割したデジタルビデオデータを複数のファイルに分けて記録する第１の記録制御部と、
前記複数のファイルにそれぞれ異なるファイル識別データを割り当てるとともに、前記ファイル識別データと、該ファイル識別データが割り当てられたファイル内のデジタルビデオデータの最小単位の区切りを特定する最小単位区切りデータとを対応させたインデックスデータを作成し、該インデックスデータを前記記録領域にアドレスの順番に連続して記録することでインデックスファイルを作成する第２の記録制御部と、
前記インデックスファイルから選択された前記インデックスデータを、前記最小単位のデジタルビデオデータを再生すべき順番に従って前記記録領域にアドレスの順番に並べて記録することで１次編集インデックスファイルを作成する１次編集インデックスファイル作成部と、
を備えることを特徴とするビデオ記録再生装置。
【請求項２】
前記１次編集インデックスファイルから前記アドレスの順番で読み出した前記インデックスデータに基づいて前記最小単位区切りデータを得るとともに、該最小単位区切りデータに基づいて前記記録領域から前記デジタルビデオデータの最小単位を読み出して再生する編集再生部を設けた、
ことを特徴とする請求項１記載のビデオ記録再生装置。
【請求項３】
前記最小単位区切りデータは、前記ファイルの先頭から前記最小単位データの先頭までのデータ量である、
ことを特徴とする請求項１記載のビデオ記録再生装置。
【請求項４】
前記インデックスデータは、前記ファイル識別データと、前記最小単位区切りデータとに加えて、該最小単位区切りデータで区切られる前記最小単位のデータ量を含み、
前記編集再生部は、前記記録領域からの前記デジタルビデオデータの最小単位の読み出しを前記最小単位のデータ量に基づいて行う、
ことを特徴とする請求項２記載のビデオ記録再生装置。
【請求項５】
前記１次編集インデックスファイルが複数設けられている、
ことを特徴とする請求項１記載のビデオ記録再生装置。
【請求項６】
前記１次編集インデックスファイルから選択されたインデックスデータを前記最小単位のデジタルビデオデータを再生すべき順番に従って前記記録領域にアドレスの順番に記録することで２次編集インデックスファイルを作成する２次編集インデックスファイル作成部を設け、
前記編集再生部は、前記２次編集インデックスファイルから前記アドレスの順番で読み出した前記インデックスデータに基づいて前記最小単位区切りデータを得るとともに、該最小単位区切りデータに基づいて前記記録領域から前記デジタルビデオデータの最小単位を読み出して再生する機能をさらに有する、
ことを特徴とする請求項１記載のビデオ記録再生装置。
【請求項７】
前記１次編集インデックスファイルから前記アドレスの順番で読み出した前記インデックスデータに基づいて前記最小単位区切りデータを得るとともに、該最小単位区切りデータに基づいて前記記録領域から前記デジタルビデオデータの最小単位を読み出して前記記録領域または前記記録媒体以外の他の記録媒体にコピーすることで編集デジタルビデオデータを作成するデジタルビデオデータ編集部を設けた、
ことを特徴とする請求項１記載のビデオ記録再生装置。
【請求項８】
前記第１、第２の記録制御部は、前記編集デジタルビデオデータから該編集デジタルビデオデータに対応する前記インデックスファイルを作成する、
ことを特徴とする請求項７記載のビデオ記録再生装置。
【請求項９】
原素材としてのひとまとまりのデジタルビデオデータをビデオファイルとし、前記記録領域に前記ビデオファイルが複数格納されている場合に、
前記第１、第２の記録制御部は前記各ビデオファイルに対応して前記インデックスファイルを作成し、
前記１次編集インデックスファイル作成部は、前記複数のインデックスファイルを対象として前記１次編集インデックスファイルを作成する、
ことを特徴とする請求項１記載のビデオ記録再生装置。
【請求項１０】
前記１次編集インデックスファイルによって特定される前記ファイルのデジタルビデオデータ以外のデジタルビデオデータを消去するファイル消去部を設けた、
ことを特徴とする請求項１記載のビデオ記録再生装置。
【請求項１１】
前記１次編集インデックスファイルによって特定される前記最小単位のデジタルビデオデータ以外のデジタルビデオデータを消去するファイル消去部を設けた、
ことを特徴とする請求項１記載のビデオ記録再生装置。
【請求項１２】
デジタルビデオデータを記録媒体の記録領域にファイルシステムを介して記録および／または再生するビデオ記録再生装置であって、
連続するひとまとまりのデジタルビデオデータを１つのファイルとして扱うとともに、連続するひとまとまりのデジタルビデオデータが前記ファイルの最大記録容量を超過する場合に、前記ひとまとまりのデジタルビデオデータを前記最大記録容量以下の大きさに分割し、分割したデジタルビデオデータを複数のファイルに分けて記録する第１の記録制御部と、
前記複数のファイルにそれぞれ異なるファイル識別データを割り当てるとともに、前記ファイル識別データと、該ファイル識別データが割り当てられたファイル内のデジタルビデオデータの最小単位の区切りを特定する最小単位区切りデータとを対応させたインデックスデータを作成し、該インデックスデータを前記記録領域にアドレスの順番に連続して記録することでインデックスファイルを作成する第２の記録制御部と、
前記インデックスファイルから選択された前記インデックスデータと、該選択されたインデックスデータが連続する個数を示す連続数データとをひとまとまりにした連続数付きインデックスデータを、前記最小単位のデジタルビデオデータを再生すべき順番に従って前記記録領域にアドレスの順番に並べて記録することで１次編集インデックスファイルを作成する１次編集インデックスファイル作成部と、
を備えることを特徴とするビデオ記録再生装置。
【請求項１３】
前記１次編集インデックスファイルから前記アドレスの順番で読み出した前記連続数付きインデックスデータに基づいて前記最小単位区切りデータおよび前記連続数データを得るとともに、前記最小単位区切りデータおよび前記連続数データに基づいて前記記録領域から前記デジタルビデオデータの最小単位を読み出して再生する編集再生部を設けた、
ことを特徴とする請求項１２記載のビデオ記録再生装置。
【請求項１４】
前記最小単位区切りデータは、前記ファイルの先頭から前記最小単位データの先頭までのデータ量である、
ことを特徴とする請求項１２記載のビデオ記録再生装置。
【請求項１５】
前記インデックスデータは、前記ファイル識別データと、前記最小単位区切りデータとに加えて、該最小単位区切りデータで区切られる前記最小単位のデータ量を含み、
前記編集再生部は、前記記録領域からの前記デジタルビデオデータの最小単位の読み出しを前記最小単位のデータ量に基づいて行う、
ことを特徴とする請求項１３記載のビデオ記録再生装置。
【請求項１６】
前記１次編集インデックスファイルが複数設けられている、
ことを特徴とする請求項１２記載のビデオ記録再生装置。
【請求項１７】
前記１次編集インデックスファイルから選択されたインデックスデータを前記最小単位のデジタルビデオデータを再生すべき順番に従って前記記録領域にアドレスの順番に記録することで２次編集インデックスファイルを作成する２次編集インデックスファイル作成部を設け、
前記編集再生部は、前記２次編集インデックスファイルから前記アドレスの順番で読み出した前記インデックスデータに基づいて前記インデックスファイルから前記インデックスデータを特定し、該特定したインデックスデータから前記最小単位区切りデータを得るとともに、前記最小単位区切りデータに基づいて前記記録領域から前記デジタルビデオデータの最小単位を読み出して再生する機能をさらに有する、
ことを特徴とする請求項１２記載のビデオ記録再生装置。
【請求項１８】
前記１次編集インデックスファイルから前記アドレスの順番で読み出した前記連続数付きインデックスデータに基づいて前記最小単位区切りデータおよび前記連続数データを得るとともに、前記最小単位区切りデータおよび前記連続数データに基づいて前記記録領域から前記デジタルビデオデータの最小単位を読み出して前記記録領域または前記記録媒体以外の他の記録媒体にコピーすることで編集デジタルビデオデータを作成するデジタルビデオデータ編集部を設けた、
ことを特徴とする請求項１２記載のビデオ記録再生装置。
【請求項１９】
前記第１、第２の記録制御部は、前記編集デジタルビデオデータから該編集デジタルビデオデータに対応する前記インデックスファイルを作成する、
ことを特徴とする請求項１２記載のビデオ記録再生装置。
【請求項２０】
原素材としてのひとまとまりのデジタルビデオデータをビデオファイルとし、前記記録領域に前記ビデオファイルが複数格納されている場合に、
前記第１、第２の記録制御部は前記各ビデオファイルに対応して前記インデックスファイルを作成し、
前記１次編集インデックスファイル作成部は、前記複数のインデックスファイルを対象として前記１次編集インデックスファイルを作成する、
ことを特徴とする請求項１２記載のビデオ記録再生装置。
【請求項２１】
前記１次編集インデックスファイルによって特定される前記ファイルのデジタルビデオデータ以外のデジタルビデオデータを消去するファイル消去部を設けた、
ことを特徴とする請求項１２記載のビデオ記録再生装置。
【請求項２２】
前記１次編集インデックスファイルによって特定される前記最小単位のデジタルビデオデータ以外のデジタルビデオデータを消去するファイル消去部を設けた、
ことを特徴とする請求項１２記載のビデオ記録再生装置。
【請求項２３】
デジタルビデオデータを記録媒体の記録領域にファイルシステムを介して記録および／または再生するビデオ記録再生装置であって、
連続するひとまとまりのデジタルビデオデータを１つのファイルとして扱うとともに、連続するひとまとまりのデジタルビデオデータが前記ファイルの最大記録容量を超過する場合に、前記ひとまとまりのデジタルビデオデータを前記最大記録容量以下の大きさに分割し、分割したデジタルビデオデータを複数のファイルに分けて記録する第１の記録制御部と、
前記複数のファイルにそれぞれ異なるファイル識別データを割り当てるとともに、前記ファイル識別データと、該ファイル識別データが割り当てられたファイル内のデジタルビデオデータの最小単位の区切りを特定する最小単位区切りデータとを対応させたインデックスデータを作成し、該インデックスデータを前記記録領域にアドレスの順番に連続して記録することでインデックスファイルを作成する第２の記録制御部と、
前記インデックスファイルから選択された１以上のインデックスデータを読み出す順番を特定する１次上層インデックスデータを、前記各インデックスデータに対してそれらインデックスデータのアドレス順に付されたシリアル番号で構成し、前記１次上層インデックスデータを前記記録領域にアドレスの順番に記録することで１次上層インデックスファイルを作成する１次上層インデックスファイル作成部と、
を備えることを特徴とするビデオ記録再生装置。
【請求項２４】
前記１次上層インデックスファイルから前記アドレスの順番で読み出した前記１次上層インデックスデータに基づいて前記インデックスファイルから前記インデックスデータを特定し、該特定したインデックスデータから前記最小単位区切りデータを得るとともに、前記最小単位区切りデータに基づいて前記記録領域から前記デジタルビデオデータの最小単位を読み出して再生する編集再生部を設けた、
ことを特徴とする請求項２３記載のビデオ記録再生装置。
【請求項２５】
前記最小単位区切りデータは、前記ファイルの先頭から前記最小単位データの先頭までのデータ量である、
ことを特徴とする請求項２３記載のビデオ記録再生装置。
【請求項２６】
前記インデックスデータは、前記ファイル識別データと、前記最小単位区切りデータとに加えて、該最小単位区切りデータで区切られる前記最小単位のデータ量を含み、
前記編集再生部は、前記記録領域からの前記デジタルビデオデータの最小単位の読み出しを前記最小単位のデータ量に基づいて行う、
ことを特徴とする請求項２４記載のビデオ記録再生装置。
【請求項２７】
前記１次上層インデックスファイルが複数設けられている、
ことを特徴とする請求項２３記載のビデオ記録再生装置。
【請求項２８】
前記１次上層インデックスファイルから選択された１以上の１次上層インデックスデータを読み出す順番を特定する２次上層インデックスデータを、前記各１次上層インデックスデータに対してそれら１次上層インデックスデータのアドレス順に付されたインデックスシリアル番号で構成し、前記２次上層インデックスデータを前記記録領域にアドレスの順番に記録することで２次上層インデックスファイルを作成する２次上層インデックスファイル作成部と、
前記編集再生部は、前記２次上層インデックスファイルからアドレスの順番で読み出した前記２次上層インデックスデータに基づいて前記１次上層インデックスファイルから前記１次上層インデックスデータを特定し、該特定した１次上層インデックスデータに基づいて前記インデックスファイルから前記インデックスデータを特定し、該特定したインデックスデータら前記最小単位区切りデータを得るとともに、該最小単位区切りデータに基づいて前記記録領域からデジタルビデオデータの最小単位を読み出して再生する機能をさらに有する、
ことを特徴とする請求項２３記載のビデオ記録再生装置。
【請求項２９】
前記１次上層インデックスファイルから前記アドレスの順番で読み出した前記１次上層インデックスデータに基づいて前記インデックスファイルから前記インデックスデータを特定し、該特定したインデックスデータから前記最小単位区切りデータを得るとともに、前記最小単位区切りデータに基づいて前記記録領域から前記デジタルビデオデータの最小単位を読み出して前記記録領域または前記記録媒体以外の他の記録媒体にコピーすることで編集デジタルビデオデータを作成するデジタルビデオデータ編集部を設けた、
ことを特徴とする請求項２３記載のビデオ記録再生装置。
【請求項３０】
前記第１、第２の記録制御部は、前記編集デジタルビデオデータから該編集デジタルビデオデータに対応する前記インデックスファイルを作成する、
ことを特徴とする請求項２３記載のビデオ記録再生装置。
【請求項３１】
原素材としてのひとまとまりのデジタルビデオデータをビデオファイルとし、前記記録領域に前記ビデオファイルが複数格納されている場合に、
前記第１、第２の記録制御部は前記各ビデオファイルに対応して前記インデックスファイルを作成し、
前記１次上層インデックスファイル作成部は、前記複数のインデックスファイルを対象として前記１次上層インデックスファイルを作成する、
ことを特徴とする請求項２３記載のビデオ記録再生装置。
【請求項３２】
前記１次上層インデックスファイルによって特定される前記ファイルのデジタルビデオデータ以外のデジタルビデオデータを消去するファイル消去部を設けた、
ことを特徴とする請求項２３記載のビデオ記録再生装置。
【請求項３３】
前記１次上層インデックスファイルによって特定される前記最小単位のデジタルビデオデータ以外のデジタルビデオデータを消去するファイル消去部を設けた、
ことを特徴とする請求項２３記載のビデオ記録再生装置。
【請求項３４】
デジタルビデオデータを記録媒体の記録領域にファイルシステムを介して記録および／または再生するビデオ記録再生装置であって、
連続するひとまとまりのデジタルビデオデータを１つのファイルとして扱うとともに、連続するひとまとまりのデジタルビデオデータが前記ファイルの最大記録容量を超過する場合に、前記ひとまとまりのデジタルビデオデータを前記最大記録容量以下の大きさに分割し、分割したデジタルビデオデータを複数のファイルに分けて記録する第１の記録制御部と、
前記複数のファイルにそれぞれ異なるファイル識別データを割り当てるとともに、前記ファイル識別データと、該ファイル識別データが割り当てられたファイル内のデジタルビデオデータの最小単位の区切りを特定する最小単位区切りデータとを対応させたインデックスデータを作成し、該インデックスデータを前記記録領域にアドレスの順番に連続して記録することでインデックスファイルを作成する第２の記録制御部と、
前記インデックスファイルから選択された１以上のインデックスデータを読み出す順番を特定する１次上層インデックスデータを、前記各インデックスデータに対してそれらインデックスデータのアドレス順に付されたシリアル番号で構成するとともに、前記１次上層インデックスデータと該１次上層インデックスデータが連続する個数を示す連続数データとをひとまとまりにした連続数付き１次上層インデックスデータを前記記録領域にアドレスの順番に記録することで１次上層インデックスファイルを作成する１次上層インデックスファイル作成部と、
を備えることを特徴とするビデオ記録再生装置。
【請求項３５】
前記１次上層インデックスファイルから前記アドレスの順番で読み出した前記連続数付き１次上層インデックスデータに基づいて前記インデックスデータを特定し、該特定したインデックスデータから前記最小単位区切りデータを得るとともに、前記最小単位区切りデータに基づいて前記記録領域から前記デジタルビデオデータの最小単位を読み出して再生する編集再生部を設けた、
ことを特徴とする請求項３４記載のビデオ記録再生装置。
【請求項３６】
前記最小単位区切りデータは、前記ファイルの先頭から前記最小単位データの先頭までのデータ量である、
ことを特徴とする請求項３４記載のビデオ記録再生装置。
【請求項３７】
前記インデックスデータは、前記ファイル識別データと、前記最小単位区切りデータとに加えて、該最小単位区切りデータで区切られる前記最小単位のデータ量を含み、
前記編集再生部は、前記記録領域からの前記デジタルビデオデータの最小単位の読み出しを前記最小単位のデータ量に基づいて行う、
ことを特徴とする請求項３５記載のビデオ記録再生装置。
【請求項３８】
前記１次上層インデックスファイルが複数設けられている、
ことを特徴とする請求項３４記載のビデオ記録再生装置。
【請求項３９】
前記１次上層インデックスファイルから選択された前記連続数付き１次上層インデックスデータを前記最小単位のデジタルビデオデータを再生すべき順番に従って前記記録領域にアドレスの順番に記録することで２次上層インデックスファイルを作成する２次上層インデックスファイル作成部を設け、
前記編集再生部は、前記２次上層インデックスファイルから前記アドレスの順番で読み出した前記連続数付き１次上層インデックスデータに基づいて前記インデックスファイルから前記インデックスデータを特定し、該特定したインデックスデータから前記最小単位区切りデータを得るとともに、前記最小単位区切りデータに基づいて前記記録領域から前記デジタルビデオデータの最小単位を読み出して再生する機能をさらに有する、
ことを特徴とする請求項３４記載のビデオ記録再生装置。
【請求項４０】
前記１次上層インデックスファイルから前記アドレスの順番で読み出した前記連続数付き１次上層インデックスデータに基づいて前記インデックスデータを特定し、該特定したインデックスデータから前記最小単位区切りデータを得るとともに、前記最小単位区切りデータに基づいて前記記録領域から前記デジタルビデオデータの最小単位を読み出して前記記録領域または前記記録媒体以外の他の記録媒体にコピーすることで編集デジタルビデオデータを作成するデジタルビデオデータ編集部を設けた、
ことを特徴とする請求項３４記載のビデオ記録再生装置。
【請求項４１】
前記第１、第２の記録制御部は、前記編集デジタルビデオデータから該編集デジタルビデオデータに対応する前記インデックスファイルを作成する、
ことを特徴とする請求項３４記載のビデオ記録再生装置。
【請求項４２】
原素材としてのひとまとまりのデジタルビデオデータをビデオファイルとし、前記記録領域に前記ビデオファイルが複数格納されている場合に、
前記第１、第２の記録制御部は前記各ビデオファイルに対応して前記インデックスファイルを作成し、
前記１次上層インデックスファイル作成部は、前記複数のインデックスファイルを対象として前記１次上層インデックスファイルを作成する、
ことを特徴とする請求項３４記載のビデオ記録再生装置。
【請求項４３】
前記１次上層インデックスファイルによって特定される前記ファイルのデジタルビデオデータ以外のデジタルビデオデータを消去するファイル消去部を設けた、
ことを特徴とする請求項３４記載のビデオ記録再生装置。
【請求項４４】
前記１次上層インデックスファイルによって特定される前記最小単位のデジタルビデオデータ以外のデジタルビデオデータを消去するファイル消去部を設けた、
ことを特徴とする請求項３４記載のビデオ記録再生装置。
【請求項４５】
前記記録媒体はディスク状記録媒体である、
ことを特徴とする請求項１、１２、２３、３４に何れか１項記載のビデオ記録再生装置。
【請求項４６】
前記記録媒体はハードディスク装置である、
ことを特徴とする請求項１、１２、２３、３４に何れか１項記載のビデオ記録再生装置。
【請求項４７】
前記記録媒体は半導体メモリである、
ことを特徴とする請求項１、１２、２３、３４に何れか１項記載のビデオ記録再生装置。
【請求項４８】
前記デジタルビデオデータ領域に記録される前記デジタルビデオデータは圧縮されており、前記デジタルビデオデータの圧縮はＪＰＥＧ形式でなされ、
前記最小単位はフレームである、
ことを特徴とする請求項１、１２、２３、３４に何れか１項記載のビデオ記録再生装置。
【請求項４９】
前記デジタルビデオデータ領域に記録される前記デジタルビデオデータは圧縮されており、前記デジタルビデオデータの圧縮はＭＰＥＧ２形式でなされ、
前記最小単位はＧＯＰ（Group Of Picture）である、
ことを特徴とする請求項１、１２、２３、３４に何れか１項記載のビデオ記録再生装置。
【請求項５０】
デジタルビデオデータを記録媒体の記録領域にファイルシステムを介して記録および／または再生するビデオ記録再生方法であって、
連続するひとまとまりのデジタルビデオデータを１つのファイルとして扱うとともに、連続するひとまとまりのデジタルビデオデータが前記ファイルの最大記録容量を超過する場合に、前記ひとまとまりのデジタルビデオデータを前記最大記録容量以下の大きさに分割し、分割したデジタルビデオデータを複数のファイルに分けて記録する第１の記録制御ステップと、
前記複数のファイルにそれぞれ異なるファイル識別データを割り当てるとともに、前記ファイル識別データと、該ファイル識別データが割り当てられたファイル内のデジタルビデオデータの最小単位の区切りを特定する最小単位区切りデータとを対応させたインデックスデータを作成し、該インデックスデータを前記記録領域にアドレスの順番に連続して記録することでインデックスファイルを作成する第２の記録制御ステップと、
前記インデックスファイルから選択された前記インデックスデータを、前記最小単位のデジタルビデオデータを再生すべき順番に従って前記記録領域にアドレスの順番に並べて記録することで１次編集インデックスファイルを作成する１次編集インデックスファイル作成ステップと、
を含むことを特徴とするビデオ記録再生方法。
【請求項５１】
前記１次編集インデックスファイルから前記アドレスの順番で読み出した前記インデックスデータに基づいて前記最小単位区切りデータを得るとともに、該最小単位区切りデータに基づいて前記記録領域から前記デジタルビデオデータの最小単位を読み出して再生する編集再生ステップを含む、
ことを特徴とする請求項５０記載のビデオ記録再生方法。
【請求項５２】
デジタルビデオデータを記録媒体の記録領域にファイルシステムを介して記録および／または再生するビデオ記録再生方法であって、
連続するひとまとまりのデジタルビデオデータを１つのファイルとして扱うとともに、連続するひとまとまりのデジタルビデオデータが前記ファイルの最大記録容量を超過する場合に、前記ひとまとまりのデジタルビデオデータを前記最大記録容量以下の大きさに分割し、分割したデジタルビデオデータを複数のファイルに分けて記録する第１の記録制御ステップと、
前記複数のファイルにそれぞれ異なるファイル識別データを割り当てるとともに、前記ファイル識別データと、該ファイル識別データが割り当てられたファイル内のデジタルビデオデータの最小単位の区切りを特定する最小単位区切りデータとを対応させたインデックスデータを作成し、該インデックスデータを前記記録領域にアドレスの順番に連続して記録することでインデックスファイルを作成する第２の記録制御ステップと、
前記インデックスファイルから選択された前記インデックスデータと、該選択されたインデックスデータが連続する個数を示す連続数データとをひとまとまりにした連続数付きインデックスデータを、前記最小単位のデジタルビデオデータを再生すべき順番に従って前記記録領域にアドレスの順番に並べて記録することで１次編集インデックスファイルを作成する１次編集インデックスファイル作成ステップと、
を含むことを特徴とするビデオ記録再生方法。
【請求項５３】
前記１次編集インデックスファイルから前記アドレスの順番で読み出した前記連続数付きインデックスデータに基づいて前記最小単位区切りデータおよび前記連続数データを得るとともに、前記最小単位区切りデータおよび前記連続数データに基づいて前記記録領域から前記デジタルビデオデータの最小単位を読み出して再生する編集再生ステップを含む、
ことを特徴とする請求項５２記載のビデオ記録再生方法。
【請求項５４】
デジタルビデオデータを記録媒体の記録領域にファイルシステムを介して記録および／または再生するビデオ記録再生方法であって、
連続するひとまとまりのデジタルビデオデータを１つのファイルとして扱うとともに、連続するひとまとまりのデジタルビデオデータが前記ファイルの最大記録容量を超過する場合に、前記ひとまとまりのデジタルビデオデータを前記最大記録容量以下の大きさに分割し、分割したデジタルビデオデータを複数のファイルに分けて記録する第１の記録制御ステップと、
前記複数のファイルにそれぞれ異なるファイル識別データを割り当てるとともに、前記ファイル識別データと、該ファイル識別データが割り当てられたファイル内のデジタルビデオデータの最小単位の区切りを特定する最小単位区切りデータとを対応させたインデックスデータを作成し、該インデックスデータを前記記録領域にアドレスの順番に連続して記録することでインデックスファイルを作成する第２の記録制御ステップと、
前記インデックスファイルから選択された１以上のインデックスデータを読み出す順番を特定する１次上層インデックスデータを、前記各インデックスデータに対してそれらインデックスデータのアドレス順に付されたシリアル番号で構成し、前記１次上層インデックスデータを前記記録領域にアドレスの順番に記録することで１次上層インデックスファイルを作成する１次上層インデックスファイル作成ステップと、
を含むことを特徴とするビデオ記録再生方法。
【請求項５５】
前記１次上層インデックスファイルから前記アドレスの順番で読み出した前記１次上層インデックスデータに基づいて前記インデックスファイルから前記インデックスデータを特定し、該特定したインデックスデータから前記最小単位区切りデータを得るとともに、前記最小単位区切りデータに基づいて前記記録領域から前記デジタルビデオデータの最小単位を読み出して再生する編集再生ステップを含む、
ことを特徴とする請求項５４記載のビデオ記録再生方法。
【請求項５６】
デジタルビデオデータを記録媒体の記録領域にファイルシステムを介して記録および／または再生するビデオ記録再生方法であって、
連続するひとまとまりのデジタルビデオデータを１つのファイルとして扱うとともに、連続するひとまとまりのデジタルビデオデータが前記ファイルの最大記録容量を超過する場合に、前記ひとまとまりのデジタルビデオデータを前記最大記録容量以下の大きさに分割し、分割したデジタルビデオデータを複数のファイルに分けて記録する第１の記録制御ステップと、
前記複数のファイルにそれぞれ異なるファイル識別データを割り当てるとともに、前記ファイル識別データと、該ファイル識別データが割り当てられたファイル内のデジタルビデオデータの最小単位の区切りを特定する最小単位区切りデータとを対応させたインデックスデータを作成し、該インデックスデータを前記記録領域にアドレスの順番に連続して記録することでインデックスファイルを作成する第２の記録制御ステップと、
前記インデックスファイルから選択された１以上のインデックスデータを読み出す順番を特定する１次上層インデックスデータを、前記各インデックスデータに対してそれらインデックスデータのアドレス順に付されたシリアル番号で構成するとともに、前記１次上層インデックスデータと該１次上層インデックスデータが連続する個数を示す連続数データとをひとまとまりにした連続数付き１次上層インデックスデータを前記記録領域にアドレスの順番に記録することで１次上層インデックスファイルを作成する１次上層インデックスファイル作成ステップと、
を含むことを特徴とするビデオ記録再生方法。
【請求項５７】
前記１次上層インデックスファイルから前記アドレスの順番で読み出した前記連続数付き１次上層インデックスデータに基づいて前記インデックスデータを特定し、該特定したインデックスデータから前記最小単位区切りデータを得るとともに、前記最小単位区切りデータに基づいて前記記録領域から前記デジタルビデオデータの最小単位を読み出して再生する編集再生部を含む、
ことを特徴とする請求項５６記載のビデオ記録再生方法。
【発明の詳細な説明】
【技術分野】
【０００１】
本発明は、記録媒体にアクセスし、映像処理されたデータを記録媒体に記録または再生するビデオ記録再生方法および装置に関する。
【背景技術】
【０００２】
従来からビデオテープなどに記録された原素材としての映像データを取り込むとともに、取り込んだ映像データを編集し、編集済みの映像データをデジタルビデオデータに変換してハードディスク装置に格納する編集データ作成装置が提供されている（特許文献１参照）。
一方、ハードディスク装置に対してデジタルビデオデータを記録再生するビデオ記録再生装置がある。
このようなビデオ記録再生装置においても、上述の編集データ作成装置のように、ハードディスク装置に記録されたデジタルビデオデータを編集して再生することができれば、ユーザーの利便性の向上を図る上で好ましい。
【０００３】
ところで、このようなビデオ記録再生装置は、システムコントローラがＯＳ（Operating System）の管理下において各部の制御を行う。
そして、システムコントローラは、ファイルシステムを介してハードディスク装置に記録するデジタルビデオデータのファイルの管理を行っている。
上述した従来装置では、ハードディスク装置へのファイルの書き込みやハードディスク装置からのファイルの読み出しに際して、そのデータの記録バイト量を管理するファイル管理がファイルシステムを介して行われる。
具体的には、３２ビット系のシステムで考えた場合、記録バイト数を管理する為に、３２ビットの符号付整数が用いられたとすると、実質３１ビットで、すなわち、２の３１乗の値でファイルのデータバイト数を表現する。
このため、１つのファイルサイズの最大記録量は２Ｇバイトに制限される。
一方、こうしたシステム状況下では、ビデオ記録再生装置で扱うビデオ信号（デジタルビデオデータ）を、標準画質から高画質にする、画面分解能を標準からＨＤにする、フレームレートを標準から高フレームレートにするといったように、高スペックにすると、それに伴いハードディスク装置に記録する単位時間あたりのデータ量が増大し、録画を長時間行った場合には、最大ファイルサイズの２Ｇバイトを超えてしまう事になり、ハードディスク装置へのデータ記録に支障が出る。
そこで、一般的には記録ファイルサイズがシステムの最大ファイルサイズを超えそうな場合には、別のファイルに移行する作業が行われ、１つのビデオファイル（ひとまとまりのデジタルビデオデータ）を１つのファイルだけで記録することができず、１つのビデオファイルを複数のファイルに分割して記録せざるを得ず、したがって、１つのビデオファイルを複数のファイルで管理することになる。
【特許文献１】特開２０００−１４９５０２
【発明の開示】
【発明が解決しようとする課題】
【０００４】
その結果、１つのビデオファイルが複数のファイル名で管理されることになり、編集を行うことが困難になる不利があった。
また、上述したように取り扱うデジタルビデオデータの高スペック化に伴い、例えば、Ｇバイト単位、１０Ｇバイト単位のデジタルビデオデータを頻繁にハードディスク装置にコピーすることが考えられるが、このような大量のデジタルビデオデータのコピー動作を行うと、システムに過大な負荷がかかり長い処理時間を要することから、編集作業の効率化を図る上で不利がある。
本発明は、このような事情に鑑みてなされたものであり、その目的は、連続した大量のデジタルビデオデータを編集して再生するにあたりシステムの負荷を軽減し編集作業の効率化を図る上で有利なビデオ記録再生方法および装置を提供することにある。
【課題を解決するための手段】
【０００５】
上記目的を達成するために本発明は、デジタルビデオデータを記録媒体の記録領域にファイルシステムを介して記録および／または再生するビデオ記録再生装置であって、連続するひとまとまりのデジタルビデオデータを１つのファイルとして扱うとともに、連続するひとまとまりのデジタルビデオデータが前記ファイルの最大記録容量を超過する場合に、前記ひとまとまりのデジタルビデオデータを前記最大記録容量以下の大きさに分割し、分割したデジタルビデオデータを複数のファイルに分けて記録する第１の記録制御部と、前記複数のファイルにそれぞれ異なるファイル識別データを割り当てるとともに、前記ファイル識別データと、該ファイル識別データが割り当てられたファイル内のデジタルビデオデータの最小単位の区切りを特定する最小単位区切りデータとを対応させたインデックスデータを作成し、該インデックスデータを前記記録領域にアドレスの順番に連続して記録することでインデックスファイルを作成する第２の記録制御部と、前記インデックスファイルから選択された前記インデックスデータを、前記最小単位のデジタルビデオデータを再生すべき順番に従って前記記録領域にアドレスの順番に並べて記録することで１次編集インデックスファイルを作成する１次編集インデックスファイル作成部とを備えることを特徴とする。
また本発明は、デジタルビデオデータを記録媒体の記録領域にファイルシステムを介して記録および／または再生するビデオ記録再生装置であって、連続するひとまとまりのデジタルビデオデータを１つのファイルとして扱うとともに、連続するひとまとまりのデジタルビデオデータが前記ファイルの最大記録容量を超過する場合に、前記ひとまとまりのデジタルビデオデータを前記最大記録容量以下の大きさに分割し、分割したデジタルビデオデータを複数のファイルに分けて記録する第１の記録制御部と、前記複数のファイルにそれぞれ異なるファイル識別データを割り当てるとともに、前記ファイル識別データと、該ファイル識別データが割り当てられたファイル内のデジタルビデオデータの最小単位の区切りを特定する最小単位区切りデータとを対応させたインデックスデータを作成し、該インデックスデータを前記記録領域にアドレスの順番に連続して記録することでインデックスファイルを作成する第２の記録制御部と、前記インデックスファイルから選択された１以上のインデックスデータを読み出す順番を特定する１次上層インデックスデータを、前記各インデックスデータに対してそれらインデックスデータのアドレス順に付されたシリアル番号で構成し、前記１次上層インデックスデータを前記記録領域にアドレスの順番に記録することで１次上層インデックスファイルを作成する１次上層インデックスファイル作成部とを備えることを特徴とする。
また本発明は、デジタルビデオデータを記録媒体の記録領域にファイルシステムを介して記録および／または再生するビデオ記録再生装置であって、連続するひとまとまりのデジタルビデオデータを１つのファイルとして扱うとともに、連続するひとまとまりのデジタルビデオデータが前記ファイルの最大記録容量を超過する場合に、前記ひとまとまりのデジタルビデオデータを前記最大記録容量以下の大きさに分割し、分割したデジタルビデオデータを複数のファイルに分けて記録する第１の記録制御部と、前記複数のファイルにそれぞれ異なるファイル識別データを割り当てるとともに、前記ファイル識別データと、該ファイル識別データが割り当てられたファイル内のデジタルビデオデータの最小単位の区切りを特定する最小単位区切りデータとを対応させたインデックスデータを作成し、該インデックスデータを前記記録領域にアドレスの順番に連続して記録することでインデックスファイルを作成する第２の記録制御部と、前記インデックスファイルから選択された１以上のインデックスデータを読み出す順番を特定する１次上層インデックスデータをそれらのアドレス順に付されたシリアル番号で構成し、前記１次上層インデックスデータを前記記録領域にアドレスの順番に記録することで１次上層インデックスファイルを作成する１次上層インデックスファイル作成部とを備えることを特徴とする。
また本発明は、デジタルビデオデータを記録媒体の記録領域にファイルシステムを介して記録および／または再生するビデオ記録再生装置であって、連続するひとまとまりのデジタルビデオデータを１つのファイルとして扱うとともに、連続するひとまとまりのデジタルビデオデータが前記ファイルの最大記録容量を超過する場合に、前記ひとまとまりのデジタルビデオデータを前記最大記録容量以下の大きさに分割し、分割したデジタルビデオデータを複数のファイルに分けて記録する第１の記録制御部と、前記複数のファイルにそれぞれ異なるファイル識別データを割り当てるとともに、前記ファイル識別データと、該ファイル識別データが割り当てられたファイル内のデジタルビデオデータの最小単位の区切りを特定する最小単位区切りデータとを対応させたインデックスデータを作成し、該インデックスデータを前記記録領域にアドレスの順番に連続して記録することでインデックスファイルを作成する第２の記録制御部と、前記インデックスファイルから選択された１以上のインデックスデータを読み出す順番を特定する１次上層インデックスデータを、前記各インデックスデータに対してそれらインデックスデータのアドレス順に付されたシリアル番号で構成するとともに、前記１次上層インデックスデータと該１次上層インデックスデータが連続する個数を示す連続数データとをひとまとまりにした連続数付き１次上層インデックスデータを前記記録領域にアドレスの順番に記録することで１次上層インデックスファイルを作成する１次上層インデックスファイル作成部とを備えることを特徴とする。
また本発明は、デジタルビデオデータを記録媒体の記録領域にファイルシステムを介して記録および／または再生するビデオ記録再生方法であって、連続するひとまとまりのデジタルビデオデータを１つのファイルとして扱うとともに、連続するひとまとまりのデジタルビデオデータが前記ファイルの最大記録容量を超過する場合に、前記ひとまとまりのデジタルビデオデータを前記最大記録容量以下の大きさに分割し、分割したデジタルビデオデータを複数のファイルに分けて記録する第１の記録制御ステップと、前記複数のファイルにそれぞれ異なるファイル識別データを割り当てるとともに、前記ファイル識別データと、該ファイル識別データが割り当てられたファイル内のデジタルビデオデータの最小単位の区切りを特定する最小単位区切りデータとを対応させたインデックスデータを作成し、該インデックスデータを前記記録領域にアドレスの順番に連続して記録することでインデックスファイルを作成する第２の記録制御ステップと、前記インデックスファイルから選択された前記インデックスデータを、前記最小単位のデジタルビデオデータを再生すべき順番に従って前記記録領域にアドレスの順番に並べて記録することで１次編集インデックスファイルを作成する１次編集インデックスファイル作成ステップとを含むことを特徴とする。
また本発明は、デジタルビデオデータを記録媒体の記録領域にファイルシステムを介して記録および／または再生するビデオ記録再生方法であって、連続するひとまとまりのデジタルビデオデータを１つのファイルとして扱うとともに、連続するひとまとまりのデジタルビデオデータが前記ファイルの最大記録容量を超過する場合に、前記ひとまとまりのデジタルビデオデータを前記最大記録容量以下の大きさに分割し、分割したデジタルビデオデータを複数のファイルに分けて記録する第１の記録制御ステップと、前記複数のファイルにそれぞれ異なるファイル識別データを割り当てるとともに、前記ファイル識別データと、該ファイル識別データが割り当てられたファイル内のデジタルビデオデータの最小単位の区切りを特定する最小単位区切りデータとを対応させたインデックスデータを作成し、該インデックスデータを前記記録領域にアドレスの順番に連続して記録することでインデックスファイルを作成する第２の記録制御ステップと、前記インデックスファイルから選択された前記インデックスデータと、該選択されたインデックスデータが連続する個数を示す連続数データとをひとまとまりにした連続数付きインデックスデータを、前記最小単位のデジタルビデオデータを再生すべき順番に従って前記記録領域にアドレスの順番に並べて記録することで１次編集インデックスファイルを作成する１次編集インデックスファイル作成ステップとを含むことを特徴とする。
また本発明は、デジタルビデオデータを記録媒体の記録領域にファイルシステムを介して記録および／または再生するビデオ記録再生方法であって、連続するひとまとまりのデジタルビデオデータを１つのファイルとして扱うとともに、連続するひとまとまりのデジタルビデオデータが前記ファイルの最大記録容量を超過する場合に、前記ひとまとまりのデジタルビデオデータを前記最大記録容量以下の大きさに分割し、分割したデジタルビデオデータを複数のファイルに分けて記録する第１の記録制御ステップと、前記複数のファイルにそれぞれ異なるファイル識別データを割り当てるとともに、前記ファイル識別データと、該ファイル識別データが割り当てられたファイル内のデジタルビデオデータの最小単位の区切りを特定する最小単位区切りデータとを対応させたインデックスデータを作成し、該インデックスデータを前記記録領域にアドレスの順番に連続して記録することでインデックスファイルを作成する第２の記録制御ステップと、前記インデックスファイルから選択された１以上のインデックスデータを読み出す順番を特定する１次上層インデックスデータを、前記各インデックスデータに対してそれらインデックスデータのアドレス順に付されたシリアル番号で構成し、前記１次上層インデックスデータを前記記録領域にアドレスの順番に記録することで１次上層インデックスファイルを作成する１次上層インデックスファイル作成ステップと含むことを特徴とする。
また本発明は、デジタルビデオデータを記録媒体の記録領域にファイルシステムを介して記録および／または再生するビデオ記録再生方法であって、連続するひとまとまりのデジタルビデオデータを１つのファイルとして扱うとともに、連続するひとまとまりのデジタルビデオデータが前記ファイルの最大記録容量を超過する場合に、前記ひとまとまりのデジタルビデオデータを前記最大記録容量以下の大きさに分割し、分割したデジタルビデオデータを複数のファイルに分けて記録する第１の記録制御ステップと、前記複数のファイルにそれぞれ異なるファイル識別データを割り当てるとともに、前記ファイル識別データと、該ファイル識別データが割り当てられたファイル内のデジタルビデオデータの最小単位の区切りを特定する最小単位区切りデータとを対応させたインデックスデータを作成し、該インデックスデータを前記記録領域にアドレスの順番に連続して記録することでインデックスファイルを作成する第２の記録制御ステップと、前記インデックスファイルから選択された１以上のインデックスデータを読み出す順番を特定する１次上層インデックスデータを、前記各インデックスデータに対してそれらインデックスデータのアドレス順に付されたシリアル番号で構成するとともに、前記１次上層インデックスデータと該１次上層インデックスデータが連続する個数を示す連続数データとをひとまとまりにした連続数付き１次上層インデックスデータを前記記録領域にアドレスの順番に記録することで１次上層インデックスファイルを作成する１次上層インデックスファイル作成ステップとを含むことを特徴とする。
【発明の効果】
【０００６】
本発明によれば、１次編集インデックスファイルあるいは１次上層インデックスファイルを用いてデジタルビデオデータの最小単位を読み出して再生することにより、原素材であるデジタルビデオデータのコピーなどを行うことなく、デジタルビデオデータを編集した編集済みのデジタルビデオデータを再生したのと同様の効果を得ることができる。
したがって、連続した大量のデジタルビデオデータを編集して再生するにあたってシステムの負荷を軽減し編集作業の効率化を図る上で有利となる。
【発明を実施するための最良の形態】
【０００７】
（第１の実施の形態）
次に、本発明の第１の実施の形態によるビデオ記録再生方法および装置について図面を参照して説明する。
図１は、本発明の第１の実施の形態によるビデオ記録再生方法を実現するビデオ記録再生装置の機能ブロック図である。
ビデオ記録再生装置１０は、ビデオ信号入力部１２、ビデオ同期回路１４、ストリームエンコーダ１６、システムコントローラ１８、ファイルシステム２０、ストリームデコーダ２２、ビデオ信号出力部２４、ハードディスク装置２６（特許請求の範囲の記録媒体に相当）などを含んで構成されている。
【０００８】
ビデオ信号入力部１２は、例えば撮像装置２などから供給されるデジタルビデオデータを入力するための回路である。
ビデオ信号入力部１２は、アナログビデオ信号をデジタルビデオデータに変換する変換器を備えていてもよい。
ビデオ同期回路１４は、入力されたデジタルビデオデータに同期をとり、後段で必要な垂直同期信号、水平同期信号、クロック信号を含む各種信号を生成する回路である。
ストリームエンコーダ１６は、入力されたデジタルビデオデータに対してコーデックを行い、デジタルビデオデータの圧縮を行う回路である。
本実施の形態では、ストリームエンコーダ１６はＪＰＥＧ形式によってデジタルビデオデータを圧縮する。
【０００９】
ハードディスク装置２６は、ストリームエンコーダ１６によって圧縮されたデジタルビデオデータを記録する。
ハードディスク装置２６の記録領域は、デジタルビデオデータを記録するためのデジタルビデオデータ領域と、後述するインデックスデータ領域とを含んで構成されている。
システムコントローラ１８は、ハードウェアとしてのコンピュータを含んで構成されるものであり、ＯＳ（Operating System）の管理下において各部の制御を行うものである。
より詳細には、システムコントローラ１８は、所定のアプリケーションソフトがＯＳを介して各部を制御することで実現されるものであり、例えば、システムコントローラ１８は、ビデオ同期回路１４、ストリームエンコーダ１６、ストリームデコーダ２２の動作の開始や停止を指令したり、あるいは、後述するようにデジタルビデオデータファイルのファイル名を管理するものである。
また、システムコントローラ１８には、半導体メモリで構成されたＲＡＭ１８０２が設けられている。
ファイルシステム２０は、システムコントローラ１８（ＯＳ）の管理下で動作するものであり、ハードディスク装置２６を管理下に置き、圧縮されたデジタルビデオデータをハードディスク装置２６に記録する際のファイル管理を行う。
すなわち、ファイルシステム２０は、ひとまとまりのデジタルビデオデータ（ビデオファイルともいう）をファイルとして扱う。
本実施の形態では、システムコントロール１８のＣＰＵが３２ビットマシンで構成されているため、システムコントロール１８がファイルシステム２０を介してファイルを管理する場合、ファイルの記録バイト数を管理する為に、３２ビットの符号付整数が用いられ、したがって、３１ビットでファイルのデータバイト数が表現される。
すなわち、２の３１乗の値でファイルのデータバイト数が表現されるため、１つのファイルサイズの最大記録量は２Ｇバイトに制限される。
ストリームデコーダ２２は、システムコントローラ１８の制御下でハードディスク装置２６から読み出された圧縮ビデオデータを伸長しデコードする回路である。
本実施の形態では、ストリームデコーダ２２はＪＰＥＧ形式によってデジタルビデオデータを伸張する。
ビデオ信号出力部２４は、デコードされたデジタルビデオデータに同期信号などを付加しビデオ信号入力部１２に入力されたデジタルビデオデータと同様の波形にして出力し例えばディスプレイ装置４などに供給する回路ブロックである。
ビデオ信号出力部２４は、ストリームデコーダ２２から供給されるデジタルビデオデータをアナログビデオ信号に変換する変換器を備えていてもよい。
【００１０】
次にビデオ記録再生装置１０の基本的な動作について説明する。
ビデオ信号の記録時には、ビデオ信号がビデオ信号入力部１２に入力される。そして、さらにビデオ同期回路１４において、ビデオ信号入力部１２に入力されたビデオ信号に同期をとることで次のブロックで必要な垂直同期信号、水平同期信号、クロック信号を含む各種信号を生成する。
次のストリームエンコーダ１６では、入力されたビデオ信号に対してコーデックを行いビデオ信号の圧縮を行う。
ＯＳ管理下のファイルシステム２０は、ストリームエンコーダ１６で圧縮されたデジタルビデオデータをハードディスク装置２６に記録する。
【００１１】
ビデオ信号の再生時には、ＯＳ管理下のファイルシステム２０が、記録されたビデオデータをハードディスク装置２６から読み出す。読み出されたデータは、ストリームデコーダ２２でデコードされ、ビデオ信号出力部２４に送られる。ビデオ信号出力部２４では、デコードされたビデオ信号にビデオ同期回路１４において生成した同期信号等を付加しビデオ信号入力部１２に入力されたビデオ信号と同様の波形にして出力する。
すなわち、上述したビデオデータのハードディスク装置２６への記録や読み出しに関わる一連の動作はＯＳ管理下のファイルシステム２０が各部を制御することによってなされており、また、ファイルシステム２０は、ハードディスク装置２６に記録したビデオデータのファイルを管理している。
【００１２】
次に、デジタルビデオデータを管理するために使用するインデックスファイルについて説明する。
図２はファイルとフレームとの関係を示す説明図である。
本実施の形態では、デジタルビデオデータは、最小単位であるフレームの単位でハードディスク装置２６に記録されている。
前述したように、ファイルシステムを用いてフレームを管理する場合には、前述したように１つのファイルサイズの最大記録量は所定の値（本実施の形態では２Ｇバイト）に制限される。
そのため、システムコントローラ１８は、ストリームエンコーダ１６から出力されるひとまとまりのデジタルビデオデータが前記最大記録量を超過する場合には、ひとまとまりのデジタルビデオデータを前記最大記録容量以下の所定の大きさに分割し、分割したデジタルビデオデータを複数のファイルに分けてハードディスク装置２６のデジタルビデオデータ領域に記録する（特許請求の範囲の第１の記録制御ステップに相当）。
図２に示すように、ひとまとまりのデジタルビデオデータ３０は、連続するフレームＦ１、Ｆ２、Ｆ３、……で構成されている。
ここで、１つのファイルサイズの最大記録量ごとにひとまとまりのデジタルビデオデータ３０が分割され、分割されたデジタルビデオデータが複数のファイル３２に分けてデジタルビデオデータ領域に記録される。
例えば、１番目のファイル３２−１にはフレームＦ１〜Ｆ１００が記録され、２番目のファイル３２−２にはフレームＦ１０１〜Ｆ１００が記録され、３番目のファイル３２−３にはフレームＦ２０１〜Ｆ３００が記録され、以下同様にしてファイル３２ごとに１００フレーム分のデジタルビデオデータ３０が記録されていく。
【００１３】
なお、ここでは、説明を簡略化するため、デジタルビデオデータ３０がそれぞれ１００フレーム分ずつ分割され、分割された１００フレーム分のデジタルビデオデータが複数のファイル３２に分けてデジタルビデオデータ領域に記録されるものとして説明した。
しかしながら、各フレームのデータ長は、ストリームエンコーダ１６による圧縮率の変動に応じて変動するため、各ファイル３２に記録されるデジタルビデオデータのフレーム数は通常異なったものとなる。また、デジタルビデオデータの処理の手法として、圧縮率の変動に拘わらず、強制的に各フレームのデータ長が一定となるようにデータを付加する場合もある。
システムコントローラ１８は、ファイルシステム２０を介して、複数のファイル３２に、それぞれ異なるファイル識別データとしてのファイル名３４を割り当てる。
例えば、ファイル名３４は、デジタルビデオデータ領域のアドレスの昇順に、File name_1、File name_2、File name_3、……、と割り当てられる。
本実施の形態では、「File name_」の部分が共通であり、「１」、「２」、「３」、……の部分が添え字（サフィックス）として１ずつ異なる数字で表現されている。
【００１４】
図３はインデックスデータ領域４０の構成を示す説明図である。
図３に示すように、システムコントローラ１８は、ファイル名３４（File name_1、File name_2、File name_3、……、）と、該ファイル名３４が割り当てられたファイル内のデジタルビデオデータ３０のフレーム単位（最小単位）の区切りを特定する最小単位区切りデータ３６と、該最小単位区切りデータ３６で区切られるフレーム（最小単位）のデータ量３８とを対応させたインデックスデータ４０を作成し、このインデックスデータ４０をデジタルビデオデータ領域とは別にハードディスク装置２６の記録領域に設けられたインデックスデータ領域４２に記録する（特許請求の範囲の第２の記録制御ステップに相当）。
インデックスデータ領域４２に記録されたひとまとまりのインデックスデータ４０のファイルをインデックスファイル４４と呼ぶ。
本実施の形態では、最小単位区切りデータ３６は、ファイルの先頭から当該フレームの先頭までのデータ量（バイト値）である。
また、本実施の形態では、１つのインデックスデータ４０のデータ長は以下のようにして設定されている。
すなわち、ファイル名はＡＳＣＩＩコードの１２文字で表現するものとし、したがって、ファイル名が１２バイトで構成される。
最小単位区切りデータ３６は、１つのファイルサイズの最大記録量などを考慮して２Ｇバイトをバイナリで扱える３２ビットの４バイトで構成される。
フレーム（最小単位）のデータ量３８は３２ビットの４バイトとしている。
したがって、１つのインデックスデータ４０のデータ長は１２＋４＋４＝２０バイトとなる。
なお、インデックスデータ４０のデータ長はファイル名の長さや、１つのファイルで扱うデータバイト数に応じて適切に決めれば良い。
【００１５】
具体的に説明すると、図３に示すように、ファイル名３４（File name_1）のファイル内において１番目、２番目、３番目、……のフレームＦ１、Ｆ２、Ｆ３、……の区切りを特定する最小単位区切りデータ３６はそれぞれ０バイト、４５バイト、１０１バイト、……である。
また、ファイル名３４（File name_2）のファイル内において１番目、２番目、３番目、……のフレームＦ９、Ｆ１０、Ｆ１１を特定する最小単位区切りデータ３６は０バイト、５２バイト、９８バイト、……である。
【００１６】
システムコントローラ１８は、デジタルビデオデータ領域からのデジタルビデオデータのフレーム（最小単位）の読み出しをインデックスファイル４４のインデックスデータ４０に基づいて行う。
すなわち、システムコントローラ１８によるデジタルビデオデータの最小単位の読み出しは、ファイル名３２が特定された際に、インデックスファイル４４から、ファイル名３２に対応するインデックスデータ４０を読み出し最小単位区切りデータ３６を得るとともに、該最小単位区切りデータ３６およびデータ量３８に基づいて前記デジタルビデオデータ領域から前記デジタルビデオデータの最小単位を読み出して再生することでなされる。
なお、デジタルビデオデータの最小単位の読み出しに際しては、データ量３８を用いずに最小単位区切りデータ３６のみを用いて行うこともできるが、本実施の形態のように最小単位区切りデータ３６およびデータ量３８の双方を用いると、デジタルビデオデータを読み出すための処理が簡素化されるため、システムコントローラ１８の負荷を軽減できるとともに、デジタルビデオデータの読み出し速度を向上させる上で有利となる。
【００１７】
次に、本発明の要旨である編集を行うために使用する１次編集インデックスファイルについて具体的に説明する。
図４は第１の実施の形態におけるインデックスファイル４４と１次編集インデックスファイル４６の構成を示す説明図である。
本実施の形態は、インデックスファイル４４から選択したインデックスデータ４０によって１次編集インデックスファイル４６を作成し、この１次編集インデックスファイル４６のインデックスデータ４４で特定される最小単位でデジタルビデオデータを記録領域から読み出して再生するものである。
【００１８】
まず、１次編集インデックスファイル４６の作成について説明する。
本実施の形態では、原素材となるひとまとまりのデジタルビデオデータ（ビデオファイル）、言い換えると、複数のファイル３２に分割されたひとまとまりのデジタルビデオデータから作成されたインデックスファイル４４に対して編集を行う。
すなわち、システムコントローラ１８は、再生すべきデジタルビデオデータの最小単位の区切りを特定する最小単位区切りデータ３６、すなわち、再生すべきデジタルビデオデータのフレームを特定する最小単位区切りデータ３６を含むインデックスデータ４０を選択する。
具体的には、図４に矢印付きの実線で示すように、システムコントローラ１８は、インデックスファイル４４から２０バイト単位でインデックスデータ４０を選択し、選択されたインデックスデータ４０を、再生したい順に前記記録領域にアドレスの順番（昇順）に並べることで１次編集インデックスファイル４６を作成する。
言い換えると、システムコントローラ１８は、インデックスファイル４４から選択されたインデックスデータ４０を、最小単位のデジタルビデオデータを再生すべき順番に従って記録領域にアドレスの順番に並べて記録することで１次編集インデックスファイル４６を作成する（特許請求の範囲の１次編集インデックスファイル作成ステップに相当）。
【００１９】
次に１次編集インデックスファイル４６を用いたデジタルビデオデータの再生について説明する。
システムコントローラ１８は、デジタルビデオデータ（デジタルビデオ信号ストリーム）の再生を行うにあたって、１次編集インデックスファイル４６からインデックスデータ４０をアドレスの順番に１つずつ読み出す。
すなわち、システムコントローラ１８は、１次編集インデックスファイル４６の先頭アドレスから順次２０バイトごとに２０バイト分のインデックスデータ４０を読み出し、先頭寄りの１２バイトをファイル名３４として、次の４バイトを最小単位区切りデータ３６（フレームの先頭位置バイト値）とし、最後の４バイトを最小単位のデータ量３８（フレームサイズ）として読み出す。
そして、システムコントローラ１８は、読み出したファイル名３４、最小単位区切りデータ３６、データ量３８を基にしてハードディスク装置２６の記録領域からデジタルビデオデータを最小単位で（フレーム単位で）逐次読み出して、ストリームデコーダ２２、ビデオ信号出力部２４を介してビデオ信号として出力する。
この結果、１次編集インデックスファイル４６で選択されたインデックスデータ４０で特定されるフレームのデジタルビデオデータが１次編集インデックスファイル４６に並べられたインデックスデータ４０の順番で再生される。
言い換えると、システムコントローラ１８は、１次編集インデックスファイル４６からアドレスの順番で読み出したインデックスデータ４０に基づいて最小単位区切りデータ３６およびデータ量３８を得るとともに、該最小単位区切りデータ３６およびデータ量３８に基づいてデジタルビデオデータ領域からデジタルビデオデータの最小単位を読み出して再生する（特許請求の範囲の編集再生ステップに相当）。
【００２０】
なお、本実施の形態では、システムコントローラ１８およびファイルシステム２０によって、特許請求の範囲の第１の記録制御部と、第２の記録制御部と、１次編集インデックスファイル作成部とが構成されている。
【００２１】
以上説明したように本実施の形態によれば、インデックスファイル４４から選択されたインデックスデータ４０を、最小単位のデジタルビデオデータを再生すべき順番に従って記録領域にアドレスの順番に並べて記録することで１次編集インデックスファイル４６を作成した。
したがって、１次編集インデックスファイル４６からアドレスの順番で読み出したインデックスデータ４０に基づいて最小単位区切りデータを得るとともに、該最小単位区切りデータに基づいてデジタルビデオデータ領域からデジタルビデオデータの最小単位であるフレームを読み出して再生することにより、原素材であるデジタルビデオデータのコピーなどを行うことなく、デジタルビデオデータを編集した編集済みのデジタルビデオデータを再生したのと同様の効果を得ることができる。
したがって、連続した大量のデジタルビデオデータを編集して再生するにあたってシステムの負荷を軽減し編集作業の効率化を図る上で有利となる。
特に、Ｇバイト単位、１０Ｇバイト単位のデジタルビデオデータの編集が必要となる場合であっても、このような大量のデジタルビデオデータのコピー動作が不要となるため、システムの負荷を軽減して短時間で編集を行うことができることから、編集作業の効率化を図る上で一層有利となる。
【００２２】
なお、第１の実施の形態では、同一のインデックスファイル４４から１つの１次編集インデックスファイル４６を作成する場合について説明したが、１次編集インデックスファイル４６の作成数は任意である。
同一のインデックスファイル４４から互いに内容が異なる１次編集インデックスファイル４６を複数作成すれば、同一のインデックスファイル４４から（すなわち同一の原素材であるデジタルビデオデータから）内容が異なる複数の編集結果に応じたデジタルビデオデータの再生を行うことができる。
【００２３】
また、１次編集インデックスファイル４６から選択されたインデックスデータ４０を最小単位のデジタルビデオデータを再生すべき順番に従って記録領域にアドレスの順番に記録することで２次編集インデックスファイルを作成し（２次編集インデックスファイル作成ステップ）、前記２次編集インデックスファイルからアドレスの順番で読み出したインデックスデータから最小単位区切りデータ３６を得るとともに、該最小単位区切りデータ３６に基づいてデジタルビデオデータ領域からデジタルビデオデータのフレーム（最小単位）を読み出して再生する（編集再生ステップ）ようにしてもよい。
この場合は、１次編集インデックスファイル４６の作成にあたっては、不要なデジタルビデオデータを除くデジタルビデオデータを残し、２次編集インデックスファイルの作成時に必要なデジタルビデオデータを絞り込むといった２段階の編集作業を効率的に行う上で有利となる。
また、２次編集インデックスファイルからさらにインデックスデータを選択し３次編集インデックスファイルを作成してもよく、さらに４次編集インデックスファイル、５次編集インデックスファイル、……を作成してもよく、インデックスデータ４０を何段階にわたって絞り込んで編集するかは任意である。
【００２４】
（第２の実施の形態）
次に第２の実施の形態について説明する。
第２の実施の形態は、第１の実施の形態の変形例であり、インデックスデータ４０に、インデックスデータ４０が連続する個数を示す連続数データ４８が付加されている点が第１の実施の形態と相違している。
図５は第２の実施の形態におけるインデックスファイル４４と１次編集インデックスファイル４６の構成を示す説明図である。なお、以下の実施の形態において第１の実施の形態と同様の部分には同一の符号を付してその説明を省略する。
システムコントローラ１８は、１次編集インデックスファイル４６の作成を次のように行う。
すなわち、システムコントローラ１８は、図５に矢印付きの実線で示すように、インデックスファイル４４から選択されたインデックスデータ４０と、該選択されたインデックスデータ４０が連続する個数を示す連続数データ４８とをひとまとまりにした連続数付きインデックスデータ５０を、フレーム（最小単位）のデジタルビデオデータを再生すべき順番に従ってハードディスク装置２６の記録領域にアドレスの順番に並べて記録することで１次編集インデックスファイル４６を作成する（１次編集インデックスファイル作成ステップ）。
再生時には、システムコントローラ１８は、１次編集インデックスファイル４６からアドレスの順番で読み出した連続数付きインデックスデータ５０に基づいて最小単位区切りデータ３６および連続数データ４８を得るとともに、該最小単位区切りデータ３６および連続数データ４８に基づいてデジタルビデオデータ領域からデジタルビデオデータのフレーム（最小単位）を読み出して再生する（編集再生ステップ）。
【００２５】
本実施の形態では、システムコントローラ１８およびファイルシステム２０によって特許請求の範囲の１次編集インデックスファイル作成部および編集再生部が構成されている。
【００２６】
このような第２の実施の形態においても第１の実施の形態と同様の効果が奏されることは無論のこと、第２の実施の形態では次のような効果が奏される。
すなわち、デジタルビデオデータは時間的に連続することが多く、したがって、編集時にも連続する複数のフレーム（最小単位）のデジタルビデオデータをひとまとまりにして編集することが多い。
したがって、インデックスデータ４０も複数連続した状態で編集されることが多い。
そのため、第２の実施の形態のように連続するインデックスデータ４０の数を示す連続数データ４８を用いることで、複数の連続するインデックスデータ４０を選択して１次編集インデックスファイル４６を作成する際にインデックスデータ４０のデータ量（データサイズ）を削減することができる。
したがって、１次編集インデックスファイル４６を作成および読み出す際の処理速度の高速化を図る上で有利となるばかりでなく、１次編集ハードディスク装置２６の記録領域に格納するデジタルビデオデータの容量を確保する上でも有利となり、その効果は連続するデジタルビデオデータのフレーム（最小単位）の数、言い換えると、選択されるインデックスデータ４０の連続数が多いほど顕著となる。
【００２７】
また、第２の実施の形態においても、第１の実施の形態と同様に、１次編集インデックスファイル４６を複数設けてもよいし、２次以上の編集インデックスファイル４６を設けてもよい。
【００２８】
（第３の実施の形態）
次に第３の実施の形態について説明する。
第３の実施の形態では、インデックスファイル４４におけるインデックスデータ４０に割り当てたシリアル番号を用いて構成された１次上層インデックスファイル５２を用いて編集を行う点が第１、第２の実施の形態と異なっている。
次に、編集を行うために使用する１次上層インデックスファイル５２について具体的に説明する。
図６は第３の実施の形態におけるインデックスファイル４４と１次上層インデックスファイル５２の構成を示す説明図である。
【００２９】
まず、１次上層インデックスファイル５２の作成について説明する。
図６に示すように、インデックスファイル４４の各インデックスデータ４０にはそれらのアドレスの順番でシリアル番号serial_no（１、２、３、……）が割り当てられている。
ただし、シリアル番号serial_no自体は、ハードディスク装置２６の記録領域にデータとして格納されるものではない。
図６に矢印付きの実線で示すように、システムコントローラ１８は、インデックスファイル４０から選択された１以上のインデックスデータ４０を読み出す順番を特定する１次上層インデックスデータ５４を、各インデックスデータ４０に対してそれらインデックスデータ４０のアドレス順に付されたシリアル番号serial_noで構成し、１次上層インデックスデータ５４を記録領域にアドレスの順番（昇順）に記録することで１次上層インデックスファイル５２を作成する（特許請求の範囲の１次上層インデックスファイル作成ステップに相当）。
言い換えると、インデックスファイル４４に対して、インデックスデータ４０の単位である２０バイト毎に編集で残したい部分を選択し、次に再生したい順にそれらインデックスデータ４０を並べ変え、夫々の２０バイトデータ（インデックスデータ４０）が元になるインデックスファイルの２０バイトデータごとの何番目になるかを特定するシリアル番号serial_noをリストにすることで１次上層インデックスファイル５２を作成する。
【００３０】
次に１次上層インデックスファイル５２を用いたデジタルビデオデータの再生について説明する。
システムコントローラ１８は、デジタルビデオデータ（デジタルビデオ信号ストリーム）の再生を行うにあたって、１次上層インデックスファイル５２からアドレスの順番で読み出した１次上層インデックスデータ５４（シリアル番号serial_no）に基づいてインデックスファイル４４からインデックスデータ４０を特定し、該特定したインデックスデータ４０から順次２０バイトごとに２０バイト分のインデックスデータ４０を読み出し、先頭寄りの１２バイトをファイル名３４として、次の４バイトを最小単位区切りデータ３６（フレームの先頭位置バイト値）とし、最後の４バイトを最小単位のデータ量３８（フレームサイズ）として読み出す。
そして、システムコントローラ１８は、読み出したファイル名３４、最小単位区切りデータ３６、データ量３８を基にしてハードディスク装置２６の記録領域からデジタルビデオデータを最小単位で（フレーム単位で）逐次読み出して、ストリームデコーダ２２、ビデオ信号出力部２４を介してビデオ信号として出力する。
この結果、１次編集インデックスファイル４６で選択されたインデックスデータ４０で特定されるフレームのデジタルビデオデータが１次編集インデックスファイル４６に並べられたインデックスデータ４０の順番で再生される（特許請求の範囲の編集再生ステップに相当）。
言い換えると、システムコントローラ１８は、１次上層インデックスファイル５２からアドレスの順番で読み出した１次上層インデックスデータ５４に基づいてインデックスファイル４４からインデックスデータ４０を特定し、該特定したインデックスデータ４０から最小単位区切りデータ３６を得るとともに、該最小単位区切りデータ３６に基づいてデジタルビデオデータ領域からデジタルビデオデータの最小単位を読み出して再生する。
さらに言い換えると、編集したビデオデータの再生は次のようになされる。
１次上層インデックスファイル５２の１次上層インデックスデータ５４（シリアル番号serial_no）から、インデックスファイル４４の２０バイト毎のデータの何番目を使うかを特定し、その２０バイトのデータの中から、再生するデジタルビデオデータのフレームがあるハードディスク装置２６上のファイル名３４と、ファイル内の位置を特定する最小単位区切りデータ３６と、フレームのデータ量３８が分かるので、フレームデータを読み込んで、ストリームデコーダ２２とビデオ信号出力部２４の各ブロック経由で出力する。
この操作を、１次上層インデックスファイル５２の１次上層インデックスデータ５４をアドレスの順番に読み出して逐次行うことで、編集で選択したフレームのみが、並び替えた順に再生されることになる。
【００３１】
なお、本実施の形態では、システムコントローラ１８およびファイルシステム２０によって、特許請求の範囲の第１の記録制御部と、第２の記録制御部と、１次上層インデックスファイル作成部と、編集再生部とが構成されている。
【００３２】
以上説明したように本実施の形態によれば、インデックスファイル４４から選択された１以上のインデックスデータ４０を読み出す順番を特定する１次上層インデックスデータ５４をそれらのアドレス順に付されたシリアル番号serial_noで構成し、１次上層インデックスデータ５４を記録領域にアドレスの順番に記録することで１次上層インデックスファイル５２を作成した。
したがって、１次上層インデックスファイル５２からアドレスの順番で読み出した１次上層インデックスデータ５４に基づいてインデックスファイル４４からインデックスデータ４０を特定し、該特定したインデックスデータ４０から最小単位区切りデータを得るとともに、該最小単位区切りデータに基づいてデジタルビデオデータ領域からデジタルビデオデータの最小単位であるフレームを読み出して再生することにより、原素材であるデジタルビデオデータのコピーなどを行うことなく、デジタルビデオデータを編集した編集済みのデジタルビデオデータを再生したのと同様の効果を得ることができる。
したがって、連続した大量のデジタルビデオデータを編集して再生するにあたってシステムの負荷を軽減し編集作業の効率化を図る上で有利となる。
特に、Ｇバイト単位、１０Ｇバイト単位のデジタルビデオデータの編集が必要となる場合であっても、このような大量のデジタルビデオデータのコピー動作が不要となるため、システムの負荷を軽減して短時間で編集を行うことができることから、編集作業の効率化を図る上で一層有利となる。
さらに、第３の実施の形態では、１次上層インデックスデータ５４をインデックスデータ４０にそれらのアドレス順に付されたシリアル番号serial_noで構成した。シリアル番号serial_noは番号（数字）のみで構成されているためデータサイズが小さく、そのため、１次上層インデックスファイル５２を効率的に作成でき、言い換えると、編集作業の効率化を図る上でより一層有利となる。
また、１次上層インデックスファイル５２のデータサイズを縮小できるので、１次編集ハードディスク装置２６の記録領域に格納するデジタルビデオデータの容量を確保する上でも有利となり、その効果は連続するデジタルビデオデータのフレーム（最小単位）の数、言い換えると、選択されるインデックスデータ４０の連続数が多いほど顕著となる。
【００３３】
（第４の実施の形態）
次に第４の実施の形態について説明する。
第４の実施の形態は第３の実施の形態の変形例であり、同一のインデックスファイル４４から複数の１次上層インデックスファイル５２を作成する点が第３の実施の形態と異なっている。
図７は第４の実施の形態におけるインデックスファイル４４と１次上層インデックスファイル５２の構成を示す説明図である。
第３の実施の形態では、同一のインデックスファイル４４から１つの１次上層インデックスファイル５２を１つ作成する場合について説明したが、１次上層インデックスファイル５２の作成数は任意である。
図７に示すように、同一のインデックスファイル４４から互いに内容が異なる１次編集インデックスファイル４６を２つあるいは３つ以上作成すれば、第３の実施の形態と同様の効果が奏されることは無論のこと、同一のインデックスファイル４４から（すなわち同一の原素材であるデジタルビデオデータから）内容が異なる複数の編集結果に応じたデジタルビデオデータの再生を行うことができ、編集の自由度を確保する上で有利となる。
【００３４】
（第５の実施の形態）
次に第５の実施の形態について説明する。
第５の実施の形態は第３の実施の形態の変形例であり、１次上層インデックスファイル５２から２次上層インデックスファイル５６を作成する点が第３の実施の形態と異なっている。
図８は第５の実施の形態におけるインデックスファイル４４と１次上層インデックスファイル５２と２次上層インデックスファイル５６の構成を示す説明図である。
すなわち、１次上層インデックスファイル５２の各１次上層インデックスデータ５４にはそれらのアドレスの順番でシリアル番号index_serial_no（１、２、３、……）が割り当てられている。
ただし、シリアル番号index_serial_no自体は、ハードディスク装置２６の記録領域にデータとして格納されるものではない。
【００３５】
図８に示すように、システムコントローラ１８は、第３の実施の形態と同様の手順で１次上層インデックスファイル５２を作成する。
次いで、図８に矢印付きの実線で示すように、システムコントローラ１８は、１次上層インデックスファイル５２から選択された１以上の１次上層インデックスデータ５４を読み出す順番を特定する２次上層インデックスデータ５８を、各１次上層インデックスデータ５４に対してそれら１次上層インデックスデータ５４のアドレス順に付されたインデックスシリアル番号index_serial_noで構成し、２次上層インデックスデータ５８を記録領域にアドレスの順番（昇順）に記録することで２次上層インデックスファイル５６を作成する（特許請求の範囲の２次上層インデックスファイル作成ステップに相当）。
そして、再生時には、システムコントローラ１８は、２次上層インデックスファイル５６からアドレスの順番で読み出した２次上層インデックスデータ５８に基づいて１次上層インデックスファイル５２から１次上層インデックスデータ５４を特定し、次いで、特定した１次上層インデックスデータ５４に基づいてインデックスファイル４４からインデックスデータ４０を特定し、該特定したインデックスデータ４０から最小単位区切りデータを得るとともに、該最小単位区切りデータに基づいてデジタルビデオデータ領域からデジタルビデオデータの最小単位であるフレームを読み出して再生する（特許請求の範囲の編集再生ステップに相当）ようにしてもよい。
言い換えると、第５の実施の形態は、第３の実施の形態で編集する１次上層インデックスファイル５２の上層インデックスとして、２次インデックスファイル５８を更に設定するものである。
この場合は、第３の実施の形態と同様の効果が奏されることは無論のこと、１次上層インデックスファイル５２の作成にあたっては、不要なデジタルビデオデータを除くデジタルビデオデータを残し、２次上層インデックスファイル５６の作成時に必要なデジタルビデオデータを絞り込むといった２段階の編集作業を効率的に行う上で有利となる。
また、２次上層インデックスファイル５６から３次上層インデックスファイルを作成してもよく、さらに４次上層インデックスファイル、５次上層インデックスファイル、……を作成してもよく、上層インデックスファイルを何段階にわたって作成するかは任意である。
【００３６】
（第６の実施の形態）
次に第６の実施の形態について説明する。
第６の実施の形態は第３の実施の形態の変形例であり、１次上層インデックスデータ５４に１次上層インデックスデータ５４が連続する個数を示す連続数データ６０が付加されている点が第３の実施の形態と異なっている。
図９は第６の実施の形態におけるインデックスファイル４４と１次上層インデックスファイル５２の構成を示す説明図である。
システムコントローラ１８は、１次上層インデックスファイル５２の作成を次のように行う。
すなわち、システムコントローラ１８は、図９に矢印付きの実線で示すように、インデックスファイル４０から選択された１以上のインデックスデータ４０を読み出す順番を特定する１次上層インデックスデータ５４を、各インデックスデータ４０に対してそれらインデックスデータ４０のアドレス順に付されたシリアル番号serial_noで構成し、１次上層インデックスデータ５４と、該選択された１次上層インデックスデータ５４が連続する個数を示す連続数データ６０とをひとまとまりにした連続数付き１次上層インデックスデータ６２を、フレーム（最小単位）のデジタルビデオデータを再生すべき順番に従ってハードディスク装置２６の記録領域にアドレスの順番に並べて記録することで１次上層インデックスファイル５２を作成する（１次上層インデックスファイル作成ステップ）。
再生時には、システムコントローラ１８は、１次上層インデックスファイル５４からアドレスの順番で読み出した連続数付き１次上層インデックスデータ６２に基づいてインデックスファイル４４からインデックスデータ４０を特定し、該特定したインデックスデータ４０から最小単位区切りデータ３６を得るとともに、最小単位区切りデータ３６に基づいてデジタルビデオデータ領域からデジタルビデオデータのフレーム（最小単位）を読み出して再生する（編集再生ステップ）。
【００３７】
本実施の形態では、システムコントローラ１８およびファイルシステム２０によって特許請求の範囲の１次上層インデックスファイル作成部および編集再生部が構成されている。
【００３８】
このような第６の実施の形態においても第３の実施の形態と同様の効果が奏されることは無論のこと、第６の実施の形態では次のような効果が奏される。
すなわち、デジタルビデオデータは時間的に連続することが多く、したがって、編集時にも連続する複数のフレーム（最小単位）のデジタルビデオデータをひとまとまりにして編集することが多い。
したがって、インデックスデータ４０を特定する１次上層インデックスデータ５４も複数連続した状態で編集されることが多い。
そのため、第６の実施の形態のように連続する１次上層インデックスデータ５４の数を示す連続数データ６０を用いることで、複数の連続する１次上層インデックスデータ５４を選択する１次上層インデックスファイル５２のデータ量（データサイズ）を削減することができる。
したがって、１次上層インデックスファイル５２を作成および読み出す際の処理速度の高速化を図る上で有利となるばかりでなく、ハードディスク装置２６の記録領域に格納するデジタルビデオデータの容量を確保する上でも有利となり、その効果は連続するデジタルビデオデータのフレーム（最小単位）の数、言い換えると、選択されるインデックスデータ４０の連続数が多いほど顕著となる。
【００３９】
また、第６の実施の形態においても、第４の実施の形態と同様に、１次上層インデックスファイル５２を複数設けてもよいし、第５の実施の形態と同様に、２次以上の１次上層インデックスファイル５２を設けてもよい。
【００４０】
（第７の実施の形態）
次に第７の実施の形態について説明する。
上述した第１乃至第６の実施の形態では、原素材のデジタルビデオデータ（ビデオファイル）を１次編集インデックスファイル４６、１次上層インデックスファイル５２を用いて再生することであたかも編集したデジタルビデオデータを再生したのと同様の結果を得るものであった。
これに対して、第７の実施の形態では、システムコントローラ１８によって、１次編集インデックスファイル４６、１次上層インデックスファイル５２を用いて原素材のデジタルビデオデータから編集された編集デジタルビデオデータ（編集デジタルビデオストーリームファイル）を作成する。
【００４１】
例えば、第１の実施の形態では、図４に示すように、１次編集インデックスファイル４６には、ファイル名３４と、最小単位区切りデータ３６と、データ量３８とを含むインデックスデータ４０が再生の順番に並べられている。
したがって、システムコントローラ１８によって、１次編集インデックスファイル４６に格納されているインデックスデータ４０に基づいてデジタルビデオデータのフレーム（最小単位）を集めてきて、ハードディスク装置２６の空き領域、或いは他の記録媒体（ハードディスク装置など）へコピーすることによって、編集デジタルビデオデータを作成する（デジタルビデオデータ編集ステップ）。
また、第３の実施の形態では、図６に示すように、１次上層インデックスファイル５２を用いることにより、システムコントローラ１８によって、インデックスファイル４４に格納されているインデックスデータ４０に基づいてデジタルビデオデータのフレーム（最小単位）を集めてきて、ハードディスク装置２６の空き領域、或いは他のハードディスク装置へコピーすることによって、編集デジタルビデオデータを作成する（デジタルビデオデータ編集ステップ）。
ただし、集めたデジタルビデオデータのフレームをコピーして編集デジタルビデオデータを作成する際の処理速度（編集の処理速度）は実スピードである必要がないので（実時間のスピードコピーの必要がないので）、編集の処理には時間をかけてもよく、したがって、システムコントローラ１８にかかる負荷を軽減でき、パワーの無いシステムコントロール１８でも編集処理を行うことができる利点がある。
また、編集デジタルビデオデータを得たのち、原素材としてのデジタルビデオデータが不要であれば、原素材としてのデジタルビデオデータを全て消去することも可能である。
また、この編集デジタルビデオデータを新たな原素材としてのデジタルビデオデータとして、更に同様の編集処理を行うことも可能である。
なお、第２、第４、第５、第６の実施の形態においても上述と同様にしてデジタルビデオデータの編集を同様に行うことができることは無論である。
したがって、第７の実施の形態においては、システムコントローラ１８およびファイルシステム２０によって、特許請求の範囲のデジタルビデオデータ編集部が構成されている。
【００４２】
（第８の実施の形態）
次に第８の実施の形態について説明する。
第８の実施の形態は、第７の実施の形態の変形例である。
第８の実施の形態では、編集デジタルビデオデータの作成と共に、この編集デジタルビデオデータを原素材として、第１乃至第６の実施の形態におけるインデックスファイル４４を同時に作成するものである。
言い換えると、システムコントロール１８は、編集デジタルビデオデータから該編集デジタルビデオデータに対応するインデックスファイル４４を作成する。
これにより、編集デジタルビデオデータの再編集が直ちにでき、編集作業の効率化を図る上で有利となる。
また、インデックスファイル４４を利用することで、フレーム単位でのデジタルビデオデータの読み出しが可能となるので、再生時のトリックプレイ（早送り再生や早戻し再生など）を容易に行う上で有利となる。
【００４３】
（第９の実施の形態）
次に第９の実施の形態について説明する。
第９の実施の形態では、原素材としてのデジタルビデオデータが複数ある場合、これら複数のデジタルビデオデータを対象として編集（合成編集）を行う。
すなわち、原素材としてのひとまとまりのデジタルビデオデータをビデオファイルとし、ハードディスク装置２６の記録領域に前記ビデオファイルが複数格納されている場合に、システムコントローラ１８は、複数の原素材としてのデジタルビデオデータのそれぞれに対応して作成されたインデックスファイル４０を用いて編集作業を行い、複数のビデオファイルにまたがって（複数のビデオファイルを対象として）１次編集インデックスファイル４６あるいは１次上層インデックスファイル５２を作成する。
作成された１次編集インデックスファイル４６あるいは１次上層インデックスファイル５２を用いて再生を行えば、複数のビデオファイルにまたがってデジタルビデオデータの再生を行うことができる。
また、作成された１次編集インデックスファイル４６あるいは１次上層インデックスファイル５２を用いて第７の実施の形態と同様の編集作業を行えば、複数のビデオファイルにまたがった編集デジタルビデオデータを得ることができる。
このように原素材としてのビデオファイルが複数ある場合でも、合成編集を行うことが出来る。
【００４４】
（第１０の実施の形態）
次に第１０の実施の形態について説明する。
第１０の実施の形態は、原素材としてのデジタルビデオデータのうち編集で使用しなかったデジタルビデオデータを消去することで新たなデジタルビデオデータを記録する記録領域を確保するようにしたものである。
すなわち、第１乃至第６の実施の形態において、１次編集インデックスファイル４６あるいは１次上層インデックスファイル５２が作成された場合、１次編集インデックスファイル４６あるいは１次上層インデックスファイル５２によって特定されるデジタルビデオデータのフレーム（最小単位）（言い換えると、編集して再生されるデジタルビデオデータのフレーム（最小単位））を除く残りのデジタルビデオデータを消去してもよい場合がある。
そこで、第１０の実施の形態では、１次編集インデックスファイル４６あるいは１次上層インデックスファイル５２によって特定されるデジタルビデオデータのファイル名３４に対応するファイルに印を付けて識別可能な状態とする。
そして、編集に使用した全ての原素材としてのデジタルビデオデータを構成するファイルのうち、前記印が付いているファイルを残し、前記印の無いファイルのデジタルビデオデータをハードディスク装置２６の記録領域から消去する。
すなわち、第１０の実施の形態では、１次編集インデックスファイル４６あるいは１次上層インデックスファイル５２によって特定されるファイルのデジタルビデオデータ以外のデジタルビデオデータを消去するファイル消去部が設けられている。
この消去操作により、ハードディスク装置２６の記録領域に再利用可能な空きスペース（新たな記録領域）をファイル単位で確保することができる。
例えば、ビデオ記録再生装置１０として、ビデオカメラなどの撮像装置を想定すると、ハードディスク装置２６の記録領域のほとんどを記録したフル記録状態において、上述のような手順で不要なファイルを消去すれば、新たな記録領域をファイル単位で確保できるので、更に撮影を行って新たなデジタルビデオデータの記録が可能となる。
したがって、例えば、旅先などで、記録したデジタルビデオデータの中から必要なファイルのみ編集して、不要なファイルを消去することで、消去したファイルに相当する記録領域を新たな記録スペースとして使う事が出来る。
これを繰り返せば、撮影者にとって保存すべき度合いが高いファイルのみをハードディスク装置２６の限られた記録領域に記録することができ、したがって、密度の濃いファイルのみを蓄えることが出来る。
なお、ビデオ記録再生装置として、ハードディスク装置２６に記録されているデジタルビデオデータを再生した映像を表示するモニタ付きのビデオカメラを想定した場合、このビデオカメラ単体で上述した編集作業を十分に行うことができることはもちろんである。
【００４５】
（第１１の実施の形態）
次に第１１の実施の形態について説明する。
第１１の実施の形態は第１０の実施の形態の変形例であり、デジタルビデオデータをフレーム（最小単位）ごとに消去するものである。
すなわち、第１乃至第６の実施の形態において、１次編集インデックスファイル４６あるいは１次上層インデックスファイル５２が作成された場合、１次編集インデックスファイル４６あるいは１次上層インデックスファイル５２によって特定されるデジタルビデオデータのフレーム（最小単位）（言い換えると、編集して再生されるデジタルビデオデータのフレーム（最小単位））を除く残りのデジタルビデオデータを消去してもよい場合がある。
そこで、第１１の実施の形態では、１次編集インデックスファイル４６あるいは１次上層インデックスファイル５２によって特定されるデジタルビデオデータのフレーム（最小単位）のそれぞれに印を付けて識別可能な状態とする。
上記の印による識別は、例えば、インデックスファイル４４の各インデックスデータ４０に消去可、消去不可の何れかを示すフラグを付加することで実現することができる。
そして、編集に使用した全ての原素材としてのデジタルビデオデータのうち、前記印が付いているフレーム（最小単位）を残し、前記印の無いフレーム（最小単位）のデジタルビデオデータをハードディスク装置２６の記録領域から消去する。
すなわち、第１１の実施の形態では、１次編集インデックスファイル４６あるいは１次上層インデックスファイル５２によって特定されるフレーム（最小単位）のデジタルビデオデータ以外のデジタルビデオデータを消去するファイル消去部が設けられている。
この消去操作により、ハードディスク装置２６の記録領域に再利用可能な空きスペース（新たな記録領域）がフレーム単位で確保されることになり、第１０の実施の形態に比較してより多くの空きスペースを確保する上で有利となる。
【００４６】
なお、実施の形態では、ハードディスク装置２６の記録領域に記録されるデジタルビデオデータがＪＰＥＧ形式で圧縮される場合について説明したが、デジタルビデオデータの圧縮形式は従来公知のさまざまな圧縮形式が採用可能である。
例えば、圧縮形式としてＭＰＥＧ２を用いてもよく、その場合には、デジタルビデオデータの最小単位として、フレームの代わりにＧＯＰ（Group Of Picture）を用いればよい。
また、デジタルビデオデータが圧縮されていない非圧縮のデジタルビデオデータであっても本発明は無論適用される。
【００４７】
なお、実施の形態では、記録媒体としてハードディスク装置２６を用いた場合について説明したが、記録媒体はハードディスク装置２６に限定されるものではなく、本発明は、ディスク状記録媒体、例えば、ＣＤ−ＲＷ、ＤＶＤ−ＲＷなどの記録媒体、あるいは、フラッシュメモリなどの半導体メモリにビデオデータを記録および／または再生するビデオ記録再生方法およびビデオ記録再生装置に広く適用可能である。
【図面の簡単な説明】
【００４８】
【図１】本発明の第１の実施の形態によるビデオ記録再生方法を実現するビデオ記録再生装置の機能ブロック図である。
【図２】ファイルとフレームとの関係を示す説明図である。
【図３】インデックスデータ領域４０の構成を示す説明図である。
【図４】第１の実施の形態におけるインデックスファイル４４と１次編集インデックスファイル４６の構成を示す説明図である。
【図５】第２の実施の形態におけるインデックスファイル４４と１次編集インデックスファイル４６の構成を示す説明図である。
【図６】第３の実施の形態におけるインデックスファイル４４と１次上層インデックスファイル５２の構成を示す説明図である。
【図７】第４の実施の形態におけるインデックスファイル４４と１次上層インデックスファイル５２の構成を示す説明図である。
【図８】第５の実施の形態におけるインデックスファイル４４と１次上層インデックスファイル５２と２次上層インデックスファイル５６の構成を示す説明図である。
【図９】第６の実施の形態におけるインデックスファイル４４と１次上層インデックスファイル５２の構成を示す説明図である。
【符号の説明】
【００４９】
１０……ビデオ記録再生装置、１８……システムコントローラ、２０……ファイルシステム、２６……ハードディスク装置、３４……ファイル名、３６……最小単位区切りデータ、４０……インデックスデータ、４４……インデックスファイル、４６……１次編集インデックスファイル、５２……１次上層インデックスファイル。
【図１】
2009027304.tif 000003
【図２】
2009027304.tif 000004
【図３】
2009027304.tif 000005
【図４】
2009027304.tif 000006
【図５】
2009027304.tif 000007
【図６】
2009027304.tif 000008
【図７】
2009027304.tif 000009
【図８】
2009027304.tif 000010
【図９】
2009027304.tif 000011